(57)【要約】【課題】  ひも部材の長さを調節してボール叩打遊戯を行うことができる叩打遊戯具を提供する。【解決手段】  叩打遊戯具１は、叩打部材２と、ひも部材２１と、ボール２２とからなる。叩打部材２は、ボール叩打面６とボール非叩打面７を有し、ボール叩打面６とボール非叩打面７とを連通する挿通孔９が形成されている。叩打部材２は、ボール非叩打面７側にひも巻き取り部１０が形成されている。ひも部材２１は、伸縮性を備えた弾性素材によって形成され、前記挿通孔９に挿通されており、一方が前記ひも巻き取り部１０に巻き付けられ、他方にボール２２が取り付けられている。【選択図】        図１
2008142136.tif 000002
【特許請求の範囲】
【請求項１】
下記の要件を備えたことを特徴とする叩打遊戯具。
（イ）叩打部材と、叩打部材に一方が取り付けられたひも部材と、ひも部材の他方に取り付けられたボールとからなること。
（ロ）叩打部材は、ボール叩打面とボール非叩打面を有し、ボール叩打面とボール非叩打面とを連通する挿通孔が形成されていること。
（ハ）叩打部材は、ボール非叩打面側にひも巻き取り部が形成されていること。
（ニ）ひも部材は、伸縮性を備えた弾性素材によって形成され、前記挿通孔に挿通されており、一方が前記ひも巻き取り部に巻き付けられ、他方にボールが取り付けられていること。
【請求項２】
下記の要件を備えたことを特徴とする叩打遊戯具。
（イ）叩打部材と、叩打部材に一方が取り付けられたひも部材と、ひも部材の他方に取り付けられたボールとからなること。
（ロ）叩打部材は、叩打本体と握り部とを有すること。
（ハ）叩打本体は、ボール叩打面とボール非叩打面を有し、ボール叩打面とボール非叩打面とを連通する挿通孔が形成されていること。
（ニ）叩打部材は、ボール非叩打面側にひも巻き取り部が形成されていること。
（ホ）ひも部材は、伸縮性を備えた弾性素材によって形成され、前記挿通孔に挿通されており、一方が前記ひも巻き取り部に巻き付けられ、他方にボールが取り付けられていること。
【請求項３】
前記ひも巻き取り部は、叩打本体と握り部との間に設けられていることを特徴とする請求項２記載の叩打遊戯具。
【請求項４】
前記ひも巻き取り部は、円板状に形成され、円周方向にひも部材を巻き付ける円周溝が形成されていることを特徴とする請求項１、２又は３記載の叩打遊戯具。
【請求項５】
前記叩打部材の非叩打面側には、ひも巻き取り部に巻き付けたひも部材を引っ掛ける突起が形成されていることを特徴とする請求項１乃至４のいずれか１項に記載の叩打遊戯具。
【発明の詳細な説明】
【技術分野】
【０００１】
本発明は、叩打部材に伸縮性を備えたひも部材で取り付けたボールを叩打部材で連続的に叩打して遊ぶ叩打遊戯具に関するものである。
【背景技術】
【０００２】
従来の叩打遊戯具は、叩打部材と、叩打部材に一端が取り付けられたひも部材と、ひも部材の他端に取り付けられたボールとからなる。叩打部材は、ボール叩打面とボール非叩打面を有し、ボール叩打面とボール非叩打面とを連通する挿通孔が形成されている。ひも部材は、伸縮性を備えた弾性素材によって形成され、叩打部材の挿通孔に挿通され、一端に結び目が形成されて一端が挿通孔から抜け出ないようにし、他端にボールが取り付けられている。（例えば、特許文献１）。
【特許文献１】実開昭６３−１６６２７７号公報
【発明の開示】
【発明が解決しようとする課題】
【０００３】
従来の叩打遊戯具は、叩打部材のボール叩打面によりボールを叩打すると、ボールが叩打部材から離れる方向に移動するが、ボールがひも部材に連結されているため、ひも部材の弾性復元力により引き戻され、ボールが引き戻されたところを叩打部材のボール叩打面で再び叩打して遊ぶものである。従来の叩打遊戯具は、このようにボールを連続的に叩打して遊ぶものである。従来の叩打遊戯具は、ひも部材が長ければ戻ってきたボールを打ち返すのが難しく、ひも部材が短ければ戻ってきたボールを打ち返すのが容易となるが、ひも部材の長さを調整することができず一定であるため、難易度を調節することができないという問題点があった。また、叩打遊戯具は、叩打されたボールの勢いにより、ひも部材が切れてしまう場合があった。従来の叩打遊戯具は、ひも部材が切れてしまうと、新たにひも部材を探してこなければならず、見つからない場合には廃棄するしかなく、きわめて不経済であると言う問題点があった。
【０００４】
本願発明は、上記問題点に鑑み案出したものであって、ひも部材の長さを調節してボール叩打の難易度を変化させることができ、またひも部材が切れても、ひも巻き取り部に巻き付けたひも部材をひも巻き取り部から解放してひも部材を元の長さに戻し、ひも部材を探すことなくすぐにボール叩打遊戯を行うことができる叩打遊戯具を提供することを目的とする。
【課題を解決するための手段】
【０００５】
本願請求項１に係る叩打遊戯具は、上記目的を達成するため、下記の要件を備えたことを特徴とする。
（イ）叩打部材と、叩打部材に一方が取り付けられたひも部材と、ひも部材の他方に取り付けられたボールとからなること。
（ロ）叩打部材は、ボール叩打面とボール非叩打面を有し、ボール叩打面とボール非叩打面とを連通する挿通孔が形成されていること。
（ハ）叩打部材は、ボール非叩打面側にひも巻き取り部が形成されていること。
（ニ）ひも部材は、伸縮性を備えた弾性素材によって形成され、前記挿通孔に挿通されており、一方が前記ひも巻き取り部に巻き付けられ、他方にボールが取り付けられていること。
【０００６】
本願請求項２に係る叩打遊戯具は、上記目的を達成するため、下記の要件を備えたことを特徴とする。
（イ）叩打部材と、叩打部材に一方が取り付けられたひも部材と、ひも部材の他方に取り付けられたボールとからなること。
（ロ）叩打部材は、叩打本体と握り部とを有すること。
（ハ）叩打本体は、ボール叩打面とボール非叩打面を有し、ボール叩打面とボール非叩打面とを連通する挿通孔が形成されていること。
（ニ）叩打部材は、ボール非叩打面側にひも巻き取り部が形成されていること。
（ホ）ひも部材は、伸縮性を備えた弾性素材によって形成され、前記挿通孔に挿通されており、一方が前記ひも巻き取り部に巻き付けられ、他方にボールが取り付けられていること。
【０００７】
本願請求項３に係る叩打遊戯具は、上記目的を達成するため、前記ひも巻き取り部は、叩打本体と握り部との間に設けられていることを特徴とする。
【０００８】
本願請求項４に係る叩打遊戯具は、上記目的を達成するため、前記ひも巻き取り部は、円板状に形成され、円周方向にひも部材を巻き付ける円周溝が形成されていることを特徴とする。
【０００９】
本願請求項５に係る叩打遊戯具は、上記目的を達成するため、前記叩打部材の非叩打面側には、ひも巻き取り部に巻き付けたひも部材を引っ掛ける突起が形成されていることを特徴とする。
【発明の効果】
【００１０】
本願発明に係る叩打遊戯具は、叩打部材と、叩打部材に一方が取り付けられたひも部材と、ひも部材の他方に取り付けられたボールとからなる。叩打部材は、ボール叩打面とボール非叩打面を有し、ボール叩打面とボール非叩打面とを連通する挿通孔が形成されている。叩打部材は、ボール非叩打面側にひも巻き取り部が形成されている。ひも部材は、伸縮性を備えた弾性素材によって形成され、前記挿通孔に挿通されており、一方が前記ひも巻き取り部に巻き付けられ、他方にボールが取り付けられている。
本願発明に係る叩打遊戯具は、ボール非叩打面側のひも部材をひも巻き取り部に巻き付けると、挿通孔から突出しているボール叩打面側のひも部材の長さを短くすることができ、ボール非叩打面側のひも部材をひも巻き取り部から解放すると、挿通孔から突出しているボール叩打面側のひも部材の長さが長くすることができる。このように、本願発明に係る叩打遊戯具は、叩打部材からボールまでのひも部材の長さを調節してボール叩打の難易度を変化させることができるという効果がある。叩打遊戯具は、使用中、叩打部材とボール間のひも部材が切れることがある。本願発明に係る叩打遊戯具は、ひも部材が切れたとしても、ボール非叩打面側のひも部材をひも巻き取り部から解放することにより、挿通孔から突出しているボール叩打面側のひも部材の長さを元に戻すことができ、新たにひも部材を探すことなくすぐにボール叩打遊戯を行うことができるという効果がある。
【００１１】
本願発明に係る叩打遊戯具は、叩打部材と、叩打部材に一方が取り付けられたひも部材と、ひも部材の他方に取り付けられたボールとからなる。叩打部材は、叩打本体と握り部とを有する。叩打本体は、ボール叩打面とボール非叩打面を有し、ボール叩打面とボール非叩打面とを連通する挿通孔が形成されている。叩打部材は、ボール非叩打面側にひも巻き取り部が形成されている。ひも部材は、伸縮性を備えた弾性素材によって形成され、前記挿通孔に挿通されており、一方が前記ひも巻き取り部に巻き付けられ、他方にボールが取り付けられている。
本願発明に係る叩打遊戯具は、上記効果を有し、さらに握り部を備えているので、この握り部を握持して、ボール叩打遊戯を簡単に行うことができるという効果がある。
【００１２】
本願発明に係る叩打遊戯具は、上記効果を有し、前記ひも巻き取り部が、叩打本体と握り部との間に設けられているので、握り部を握る際の手の位置決め部となるという効果がある。
【００１３】
本願発明に係る叩打遊戯具は、上記効果を有し、前記ひも巻き取り部が、円板状に形成され、円周方向にひも部材を巻き付ける円周溝が形成されているので、ひも部材の巻き付が容易となるという効果がある。
【００１４】
本願発明に係る叩打遊戯具は、上記効果を有し、前記叩打部材の非叩打面側には、ひも巻き取り部に巻き付けたひも部材を引っ掛ける突起が形成されているので、叩打遊戯中にひも巻き取り部に巻き付けたひも部材が緩み難くなり、安定して遊戯を行うことができるという効果がある。
【発明を実施するための最良の形態】
【００１５】
本願発明に係る叩打遊戯具の一つの実施の形態を図１乃至図６に基づいて説明する。図１は、本願発明に係る叩打遊戯具を上から視た全体斜視図である。図２は、図１の叩打遊戯具を下から視た全体斜視図である。図３は、図１の叩打遊戯具の上面図である。図４は、図１の叩打遊戯具の下面図である。図５は、図１の叩打遊戯具の側面図である。図６は、図１の叩打遊戯具の正面図である。
【００１６】
叩打遊戯具１は、叩打部材２と、叩打部材２に一方が取り付けられたひも部材２１と、ひも部材２１の他方に取り付けられたボール２２とからなる。叩打部材２は、ボール叩打面６とボール非叩打面７を有し、ボール叩打面６とボール非叩打面７とを連通する挿通孔９が形成されている。叩打部材２は、ボール非叩打面７側にひも巻き取り部１０が形成されている。ひも部材２１は、伸縮性を備えた弾性素材によって形成され、前記挿通孔９に挿通されており、一方が前記ひも巻き取り部１０に巻き付けられ、他方にボール２２が取り付けられている。
【００１７】
叩打遊戯具１は、ボール非叩打面７側のひも部材２１をひも巻き取り部１０に巻き付けると、挿通孔９から突出しているボール叩打面６側のひも部材２１の長さを短くすることができ、ボール非叩打面７側のひも部材２１をひも巻き取り部１０から解放すると、挿通孔９から突出しているボール叩打面６側のひも部材２１の長さが長くすることができる。このように、叩打遊戯具１は、叩打部材２からボール２２までのひも部材２１の長さを調節してボール叩打の難易度を変化させることができる。叩打遊戯具１は、使用中、叩打部材２とボール２２間のひも部材２１が切れることがある。叩打遊戯具１は、ひも部材２１が切れたとしても、ボール非叩打面７側のひも部材２１をひも巻き取り部１０から解放することにより、挿通孔９から突出しているボール叩打面６側のひも部材２１の長さを元に戻すことができ、新たにひも部材を探すことなくすぐにボール叩打遊戯を行うことができる。
【００１８】
叩打部材２は、叩打本体３と握り部５とを有する。叩打本体３には、ボール叩打面６とボール非叩打面７を有し、ボール叩打面６とボール非叩打面７とを連通する挿通孔９が形成されている。叩打遊戯具１は、さらに握り部５を備えているので、この握り部５を握持して、ボール叩打遊戯を簡単に行うことができる。
【００１９】
叩打遊戯具１は、前記ひも巻き取り部１０が、叩打本体３と握り部５との間に設けられているので、握り部５を握る際の手の位置決め部となる。叩打遊戯具１は、前記ひも巻き取り部１０が、円板状に形成され、円周方向にひも部材２１を巻き付ける円周溝１１が形成されているので、ひも部材２１の巻き付が容易となる。叩打遊戯具１は、前記叩打部材２のボール非叩打面７側に、ひも巻き取り部１０に巻き付けたひも部材２１を引っ掛ける突起１２が形成されているので、叩打遊戯中にひも巻き取り部１０に巻き付けたひも部材２１が緩み難くなり、安定してボール叩打遊戯を行うことができる。
【００２０】
さらに、叩打遊戯具１について詳細に説明する。叩打部材２は、合成樹脂素材によって、卓球のラケット状に形成され、ボール２２を叩打する叩打本体３と握り部５とからなる。叩打本体３は、約１ｃｍ程度の厚みで平板状に形成され、一方の面がボール２２を叩打するボール叩打面６となり、他方の面がボール２２を叩打しないボール非叩打面７となる。また、叩打本体３の略中心には、ボール叩打面６とボール非叩打面７とを連通する挿通孔９が形成されている。
【００２１】
叩打部材２のボール非叩打面７側であって、叩打本体３と握り部５の連結部には、ひも巻き取り部１０が形成されている。前記ひも巻き取り部１０は、円板状に形成され、円周方向にひも部材２１を巻き付ける円周溝１１が形成されている。ひも巻き取り部１０は、叩打本体３と握り部５の間に形成したが、特にこの位置に限定するものではなく、叩打本体３のボール非叩打面７側又は握り部５のボール非叩打面７側に形成しても構わないのは勿論である。また、ひも巻き取り部１０は、円板状に形成したが、特にこの形状に限定されるものではなく、設計技術上種々変更可能である。
【００２２】
前記ひも巻き取り部１０の円周溝１１には、ひも部材２１を引っ掛ける突起１２が形成されている。円周溝１１は、ひも部材２１を巻き付ける周壁１５と、ひも部材２１が周壁１５から外れないようにガイドする下壁１３及び上壁１６によって、断面が略コ字状に形成されている。前記突起１２は、下壁１３に突設されている。突起１２の位置は、突起１２と前記挿通孔９を結ぶ線が、叩打部材２の長手方向に向かう中心線と略一致するように設けられている。従って、突起１２は、叩打部材２のボール非叩打面７側に位置することになる。
【００２３】
ひも部材２１は、伸縮性を備えた弾性素材、例えばゴム素材によって形成されている。このひも部材２１は、叩打本体３の挿通孔９に挿通されている。ボール非叩打面７側から突出するひも部材２１の一方は、前記ひも巻き取り部１０の円周溝１１に巻き付けて結ばれ取り付けられている。ボール叩打面６側から突出するひも部材２１の他方には、ボール２２が取り付けられている。ボール２２は、弾性を有する素材、例えば、ゴム、スポンジ等の素材によって形成されている。
【００２４】
叩打遊戯具１は、上記構成を有し、以下のように使用することができる。叩打本体３からボール２２までのひも部材２１の長さを調節する。ひも部材２１の弾性を利用して、ボール２２を連続的に叩打する場合には、約４０ｃｍぐらいが望ましい。叩打遊戯具１は、ボール非叩打面７側のひも部材２１をひも巻き取り部１０の円周溝１１に巻き付けると、挿通孔９から突出しているボール叩打面６側のひも部材２１の長さを短くすることができ、ボール非叩打面７側のひも部材２１をひも巻き取り部１０から解放すると、挿通孔９から突出しているボール叩打面６側のひも部材２１の長さを長くすることができる。ひも部材２１の長さを調節したら、ひも部材２１を突起１２に引っ掛かけ、ひも巻き取り部１０に巻き付けられたひも部材２１が緩まないようにする。
【００２５】
叩打遊戯具１は、握り部５を握り、ボール叩打面６を下に向け、叩打本体３を上下することにより、ボール２２をボール叩打面６が連続的に叩打して遊ぶことができる。ボール２２を連続的に叩打することにより、ひも部材２１が切れてしまう場合がある。ひも部材２１が切れても、ボール非叩打面７側のひも部材２１をひも巻き取り部１０から解放することにより、挿通孔９から突出しているボール叩打面６側のひも部材２１の長さを元に戻すことができる。
【００２６】
叩打遊戯具１は、内部に電子回路を組み込むこともできる。図１に示すように、握り部５の端部にドラム状の収納部１８を形成する。当該収納部１８に、スピーカ等の発音部材を収納する。握り部５内に電池を収納する。前記ひも巻き取り部１０内に、電子基板、振動センサ等の電子部品を組み込む。叩打遊戯具１は、このように電子部品を組み込むことにより、振る度に音、例えば「バン」という音を発生させ、楽しむことができる。なお、握り部５に上記した収納部１８を形成することにより、握り部５を握った場合、手の位置が収納部１８とひも巻き取り部１０間で位置決めされ、叩打遊戯具１を安定して振ることができる。
【産業上の利用可能性】
【００２７】
本発明に係る叩打遊戯具は、ボールを連続して叩打する玩具に利用可能である。
【図面の簡単な説明】
【００２８】
【図１】本願発明に係る叩打遊戯具を上から視た全体斜視図である。
【図２】図１の叩打遊戯具を下から視た全体斜視図である。
【図３】図１の叩打遊戯具の上面図である。
【図４】図１の叩打遊戯具の下面図である。
【図５】図１の叩打遊戯具の側面図である。
【図６】図１の叩打遊戯具の正面図である。
【符号の説明】
【００２９】
１  叩打遊戯具
２  叩打部材
３  叩打本体
５  握り部
６  ボール叩打面
７  ボール非叩打面
９  挿通孔
１０  ひも巻き取り部
１１  円周溝
１２  突起
１３  下壁
１５  周壁
１６  上壁
１８  収納部
２１  ひも部材
２２  ボール
【図１】
2008142136.tif 000003
【図２】
2008142136.tif 000004
【図３】
2008142136.tif 000005
【図４】
2008142136.tif 000006
【図５】
2008142136.tif 000007
【図６】
2008142136.tif 000008